(57)【要約】      （修正有）【課題】植物繊維から作製された猫に適した動物ケージのリータ組織物の提供。【解決手段】圧縮したヒマワリ（ｓｕｎｆｌｏｗｅｒ）の殻の総質量の、０〜５０％の量の既知の結合剤、および／または０〜８０％の量の既知の充填材を添加した、１〜１００％、好ましくは１００％の量の圧縮および／または粉砕したヒマワリの殻の形である植物に基づく結合剤および充填剤である。【選択図】なし【特許請求の範囲】
【請求項１】
植物に基づく結合剤および充填材、すなわち木材樹脂および／または細かい削りくずを添加した、ペレット、おがくずまたはブリケットに基づく環境に優しい植物廃棄物の形の、特にネコに適した、動物ケージのリター組成物であって、圧縮したヒマワリ（ｓｕｎｆｌｏｗｅｒ）の殻の総質量の、０〜５０％の量の既知の結合剤、および／または０〜８０％の量の既知の充填材を添加した、１〜１００％、好ましくは１００％の量の圧縮および／または粉砕したヒマワリの殻の形であることで特徴付けられる、前記組成物。
【発明の詳細な説明】
【技術分野】
【０００１】
関連出願に対するクロスリファレンス
[01]本出願は、２０１３年９月５日出願で現在係属中のポーランド実用新案出願第Ｐ．４０５２４５号に優先権を請求し、該出願の内容は本明細書に援用される。
技術分野
[02]本発明は、一般的に、特にネコに適した、動物ケージのリター組成物に関する。製品は、純粋な植物繊維から作製され、１００％天然であり、そして生物学的にリサイクル可能である。
【背景技術】
【０００２】
[03]本発明の目的は、小型の毛皮がある家庭動物ケージ用の寝わらとして、そしてリターボックス充填材として使用するための、特にネコに適した、動物ケージのリター組成物を提供することである。
【０００３】
[04]小型の毛皮がある飼育動物または家庭動物を飼育するために用いられる、現在知られるリター組成物タイプは、ベントナイト・ペットリター、シリコンペレットまたは木材および植物に基づくおがくずまたはブリケットの形である。
【０００４】
[05]例えば、特許明細書第ＰＬ−１８８３４３号に開示される小型ペット、特にネコ用のリター組成物があり、これは、基本構成要素として９０％〜９９％（ｗ／ｗ）の粘土材料、および充填材料として１０％〜１％（ｗ／ｗ）の木材粉塵または削りくずを含む。カオリナイト、イライト、モンモリロナイト、バイデライトまたはその混合物が粘土材料として用いられる。リター組成物は、ペレットの形である。
【０００５】
[06]ベントナイト・ナトリウム、カーボネート、炭酸シリカおよびケイ石、火山性の岩石、ならびに粉砕、乾燥および／またはローストに供された気泡コンクリートおよび微孔コンクリートの群に由来する合成鉱物、ベントナイトまたはシルトおよび粘土から作製される弱綿薬を含有する、同様のタイプのベントナイトに基づくリターが、他の特許、例えば、中国特許第ＣＮ−１０２７４２５１号、ＣＮ−２０２４０６７３７号、米国特許第ＵＳ−６８６０２３４号、欧州特許第ＥＰ−２２１３１６２号、ポーランド特許出願第Ｐ．３６５８８９号および特許公報第Ｐ．３９１１１５号に提示され、ここで、凝集材料は、０〜１％の芳香族混合物が強化され、８０〜９５％の有機材料、５〜２０％のゲル化組成物を含む。ゲル化組成物は、ミネラル化合物および天然有機物質を含み、一方、ゲル化剤は、重量比１：１または３：２のベントナイトおよびグアーゴムまたはキサンタンゴムまたはアラビアゴムを含む。リター組成物質量中のベントナイトは、ゲル化組成物の総計２０〜７０％、好ましくは４０〜６０％に達し、そして有機物質は、ゲル化組成物の総計３０〜８０％、好ましくは４０〜６０％に達する。用いるベントナイト材料は、微粉化型であり、好ましくは６μｍ未満の顆粒化のものである。非常に細かい木材のおがくずを天然有機材料として用いる。
【０００６】
[07]特許出願公報第Ｐ．３０７２１７号において、ペットリター組成物は、好ましくは芳香族物質の添加を伴って、総計９０％〜９９％（ｗ／ｗ）に達する粘土鉱物、および１０％〜１％（ｗ／ｗ）の木材粉塵またはおがくずを含み、そして発明の公報第Ｐ．３６５８８９号においては、動物リター組成物は、粘土およびシリカゲルなどの吸収材料の混合物を含む。
【０００７】
[08]米国特許明細書第ＵＳ−２１２１１８２４２号に開示されるのは、主要構成要素が超吸収特性を持つ超吸収性ポリマー（ＳＡＰ）であり、結合剤が備わった、ゲル化コロイドの形にシフトするペレットの形のネコ用リターである。
【０００８】
[09]植物廃棄物およびバイオマスに基づくリター組成物は、動物ケージのリター組成物の別の群であり、これには、ネコの糞便廃棄物を含むリターボックス組成物が含まれる。例えば、濾過し、圧縮し、そして次いで乾燥させたサトウダイコン（ｓｕｇａｒ  ｂｅｅｔ）絞りかすの形で、環境的に害がなく、そして容易に崩壊する有機物質を含む、小型家畜およびネコ用の、束ねられていない（ｌｏｏｓｅ）寝わらに関する、特許公報第Ｐ．３０８９５２号は、こうしたリター組成物の例を開示する。こうした絞りかすは、サトウダイコンから糖をプロセシングした副産物である。サトウダイコン絞りかすは、ペレット化に供され、収着容量が改善される。
【０００９】
[10]一方、第Ｐ．３０７１５２号下で特許出願される発明の目的は、家庭で飼育される齧歯類のためのエコロジカルなリター組成物であり、該組成物は、８５〜１２％の相対湿度の細挽き泥炭、ｐＨ４．０の酸性度、および２８％〜３２％の分解値、または木炭およびカラムス（ｃａｌａｍｕｓ）の添加を伴う上述の特性の高位泥炭を含む。
【００１０】
[11]小型飼育動物ケージ用のリター組成物および／または環境に優しい廃棄物に基づくリターボックスの次の例は、以下の特許に開示される：米国特許第ＵＳ−７０８９８８２号、中国特許第ＣＮ−１０２１５０６２７号およびＰＣＴ第ＷＯ−２００８１１６４５３号、ここで、基本的な植物構成要素はトウモロコシおよび／または穀物を添加したトウモロコシの穂軸である。トウモロコシの穂軸は、充填材に加えて、結合剤として作用する植物樹脂もまた含有しうる。
【００１１】
[12]一方、ドイツ特許第ＤＥ−１９５４３３１１号の目的は、同時に尿増粘剤として作用する充填材が添加された木材を含む、ブリケットの形のネコ用リター組成物である。増粘剤は、動物の尿と接触した後、ゲルを形成するグアーフラワーであり、木材ブリケットの結合を促進する。
【００１２】
[13]ＰＣＴ第ＷＯ−２０１３００４８７９号の場合、動物用のエコロジカルなリター組成物が森林バイオマスおよび海草から得られている。
【先行技術文献】
【特許文献】
【００１３】
【特許文献１】特許明細書第ＰＬ−１８８３４３号
【特許文献２】中国特許第ＣＮ−１０２７４２５１号
【特許文献３】ＣＮ−２０２４０６７３７号
【特許文献４】米国特許第ＵＳ−６８６０２３４号
【特許文献５】欧州特許第ＥＰ−２２１３１６２号
【特許文献６】ポーランド特許出願第Ｐ．３６５８８９号
【特許文献７】特許公報第Ｐ．３９１１１５号
【特許文献８】第Ｐ．３０７２１７号
【特許文献９】第Ｐ．３６５８８９号
【特許文献１０】米国特許明細書第ＵＳ−２１２１１８２４２号
【特許文献１１】第Ｐ．３０８９５２号
【特許文献１２】第Ｐ．３０７１５２号
【特許文献１３】米国特許第ＵＳ−７０８９８８２号
【特許文献１４】中国特許第ＣＮ−１０２１５０６２７号
【特許文献１５】ＰＣＴ第ＷＯ−２００８１１６４５３号
【特許文献１６】ドイツ特許第ＤＥ−１９５４３３１１号
【特許文献１７】ＰＣＴ第ＷＯ−２０１３００４８７９号
【発明を実施するための形態】
【００１４】
[14]特にベントナイト・リター群由来の、提示されるリター組成物の不都合な点は、堆肥化不能であり、そして詰まらせる可能性があることから、トイレに廃棄不能であるため、使用が快適でないことである。さらに、使用し、そしてゴミ箱に捨てたリター組成物は、不快な匂いを発散する。主要リター組成物構成要素であるベントナイトは、匂いにほとんど結合せず、そして匂いをほとんど吸収しない材料であり、そしてネコがリターボックスの外の床に運び、これが水と接触すると、セメント様の塊を形成し、塊はタイルに固着し、そして特にグラウト材からは除去することが困難である。こうしたリター組成物は重く、そして匂いを吸収せず、そして固まりにくく、そしてリターボックスから完全に除去しなければならないため、あまり効率的ではない。同様に、ゲル化充填材を含む木材に基づくリター組成物は、トイレに廃棄するには適しておらず、そしてこれらはさらなる芳香族物質を必要とする。おがくずに基づくリター組成物は、ネコの足に付着してリターボックスの外に運ばれ、そして家を汚す原因となる。
【００１５】
[15]本発明にしたがい、植物に基づく結合剤および充填材、すなわち木材樹脂および／または細かい削りくずを添加した、ペレット、おがくずまたはブリケットに基づく環境に優しい植物廃棄物の形の、特にネコに適した、動物ケージのリター組成物は、圧縮したヒマワリ（ｓｕｎｆｌｏｗｅｒ）の殻の総質量の、０〜５０％の量の既知の結合剤、および／または０〜８０％の量の既知の充填材を添加した、１〜１００％、好ましくは１００％の量の圧縮および／または粉砕したヒマワリの殻の形である。
【００１６】
[16]純粋な植物繊維から作製された製品としての、特にネコに適した、動物ケージのリター組成物は、１００％天然であり、そして生物学的にリサイクル可能である。このリター組成物は、非常に効率的であり、そしてしたがって使用するのに経済的である。該組成物は、優れた凝集特性を有して、硬い塊を形成し、したがって、ほこりを生じず、また、動物の足に付着せず、そしてネコによって周囲に運ばれてリターボックスの近くの床が汚されることはない。糞便物質によって形成される塊は、残りの清浄なリター組成物から分離され、そしてリターボックスから容易にすくい取ることも可能である。使用後のリター部分は、リターボックスから全リター内容物を取り除く必要を生じさせない。さらに、廃棄物によって凝集した部分は、リターボックスに貼り付かず、またはリターボックスに染みを残さないため、使用後のリター組成物を廃棄した後に、毎回、リターボックスを洗浄する必要がない。これは、さらに例外的に強い匂い、特にネコの尿中のアンモニアの匂いであっても吸収する。１００％環境に優しい製品として、該リター組成物は堆肥化可能であり、そしてトイレに容易に廃棄可能である。全体としてヒマワリの殻を含む本発明記載のリター組成物は、軽く、そして製造および利用する際に安価である。該リター組成物は、低アレルゲン性であり、そして環境に優しい製品である。
【００１７】
[17]方法の例において、本発明記載の、特にネコに適した、動物ケージのリター組成物は、以下を含む：
【実施例】
【００１８】
実施例Ｉ
[0018]特にネコに適した、動物ケージのリター組成物は、ブリケットの形で圧縮された１００％ヒマワリ殻塊を含む。該ブリケットは、０．３ｃｍ〜１．５０ｃｍの異なるサイズのプレス化シリンダーの形であり、およそ０．４ｃｍの同じシリンダー直径を有する。
実施例ＩＩ
[19]特にネコに適した、動物ケージのリター組成物は、９０％（ｗ／ｗ）の量のブリケットの形に圧縮されたヒマワリの殻、９％の木材削りくず、および１％の樹脂からなる塊を含む。該ブリケットは、０．３ｃｍ〜１．５０ｃｍの異なるサイズのプレス化シリンダーの形であり、およそ０．４ｃｍの同じシリンダー直径を有する。
実施例ＩＩＩ
[20]特にネコに適した、動物ケージのリター組成物は、１００％のペレット化ヒマワリ殻塊を含む。
【００１９】
[21]本明細書において、本発明の例示的な実施を詳細に表現し、そして説明してきているが、適切な技術分野の当業者には、本発明の精神から逸脱することなく、多様な修飾、付加、置換等を行うことも可能であり、そしてこれらはしたがって、以下の請求項に定義するような本発明の範囲内であると見なされることが明らかであろう。
【００２０】
[22]上記説明は例示であり、そして制限でないと意図されることが理解されるものとする。例えば、上述の態様（および／またはその側面）は互いに組み合わせて使用可能である。さらに、多くの修飾を行って、本発明の範囲から逸脱することなく、本発明の解説に特定の状況または材料を適応させることも可能である。本明細書記載の材料の寸法およびタイプは、本発明のパラメータを定義するよう意図されるが、これらは決して限定ではなく、例示的な態様である。多くの他の態様は、上記説明を再検討すると、当業者には明らかとなるであろう。本発明の範囲は、したがって、請求項に権利が与えられるのと同等の完全な範囲とともに、付随する請求項を参照して決定されなければならない。付随する請求項において、用語「含む（ｉｎｃｌｕｄｉｎｇ）」および「ここで（ｉｎ  ｗｈｉｃｈ）」は、用語「含む（ｃｏｍｐｒｉｓｉｎｇ）」および「ここで（ｗｈｅｒｅｉｎ）」のわかりやすい英語の同等物として用いられる。さらに、以下の請求項において、用語「第一」、「第二」、および「第三」は単にラベルとして用いられ、そして対象に対して数値的な必須要件を課すとは意図されない。さらに、以下の請求項の制限は、ミーンズプラスファンクション形式では書かれておらず、そしてこうした請求項の制限が、さらなる構造の機能の無効の言及が続く句「〜のための手段」を明らかに用いない限り、そしてこうした句を用いるまで、米国特許法１１２条第６段落に基づいて解釈されるとは意図されない。
【００２１】
独占的財産または特権が請求される本発明の態様は、以下のように定義される：
【外国語明細書】
2015070838000001.pdf